(57)【要約】【課題】コストの増加を抑制することができる発光装置、画像読取装置および画像形成装置を提供する。【解決手段】発光装置１０は、原稿Ｍに照射された光で画像を読み取る画像読取装置５０に用いられる。発光装置１０は、複数の可視光光源１と、赤外光光源２とを備える。複数の可視光光源１は、それぞれが可視光ＬＡを照射する。赤外光光源２は、赤外光ＬＢを照射する。複数の可視光光源１は、複数の可視光光源１のそれぞれが可視光ＬＡを照射する場合に、複数の可視光光源１のそれぞれから照射された前記可視光ＬＡの少なくとも一部が重なった可視光照射範囲Ｑを形成するように配置されている。複数の可視光光源１および赤外光光源２は、複数の可視光光源１のそれぞれが可視光ＬＡを照射し、前記赤外光光源２が赤外光ＬＢを照射する場合に、前記赤外光光源２から照射された前記赤外光ＬＢの少なくとも一部が可視光照射範囲Ｑと重なるように配置されている。【選択図】図１
2014192806.tif 000002
【特許請求の範囲】
【請求項１】
原稿に照射された光で画像を読み取る画像読取装置に用いられる発光装置であって、
それぞれが可視光を照射する複数の可視光光源と、
赤外光を照射する赤外光光源と
を備え、
前記複数の可視光光源は、前記複数の可視光光源のそれぞれが前記可視光を照射する場合に、前記複数の可視光光源のそれぞれから照射された前記可視光の少なくとも一部が重なった可視光照射範囲を形成するように配置されており、
前記複数の可視光光源および前記赤外光光源は、前記複数の可視光光源のそれぞれが前記可視光を照射し、前記赤外光光源が前記赤外光を照射する場合に、前記赤外光光源から照射された前記赤外光の少なくとも一部が前記可視光照射範囲と重なるように配置されている、発光装置。
【請求項２】
前記可視光照射範囲は、前記複数の可視光光源に含まれる１つの可視光光源から照射された可視光の一部が前記複数の可視光光源に含まれる別の可視光光源から照射された可視光の一部と互いに重なって形成される、請求項１に記載の発光装置。
【請求項３】
前記可視光光源と前記赤外光光源とは、同時に点灯可能である、請求項１または請求項２に記載の発光装置。
【請求項４】
前記可視光光源と前記赤外光光源とは、前記原稿の読み取り方向である副走査方向に直交する主走査方向に沿って交互に並ぶ、請求項１から請求項３のうちの１項に記載の発光装置。
【請求項５】
前記可視光光源と前記赤外光光源とは、一直線に並ぶ、請求項１から請求項４のうちの１項に記載の発光装置。
【請求項６】
前記赤外光光源は、赤外ＬＥＤである、請求項１から請求項５のうちの１項に記載の発光装置。
【請求項７】
前記可視光光源は、可視光ＬＥＤである、請求項１から請求項６のうちの１項に記載の発光装置。
【請求項８】
請求項１から請求項７のうちの１項に記載の発光装置と、
前記原稿からの反射光を読み取る画像読取部と、
発光装置を制御する制御部と
を備え、
前記制御部は、前記可視光光源と前記赤外光光源との点灯および消灯を制御する、画像読取装置。
【請求項９】
内部温度センサをさらに備え、
前記制御部は、前記内部温度センサによって測定された温度に基づき、前記可視光光源と前記赤外光光源との前記点灯および前記消灯を制御する、請求項８に記載の画像読取装置。
【請求項１０】
外部温度センサをさらに備え、
前記制御部は、前記外部温度センサによって測定された温度と前記内部温度センサによって測定された温度との差分を算出し、前記差分に基づいて前記可視光光源と前記赤外光光源との前記点灯および前記消灯を制御する、請求項９に記載の画像読取装置。
【請求項１１】
請求項８から請求項１０のうちの１項に記載の画像読取装置と、
前記画像読取装置で前記原稿から読み取ったデータに基づいて印刷を行う印刷部と
を備える、画像形成装置。
【発明の詳細な説明】
【技術分野】
【０００１】
本発明は、発光装置、画像読取装置および画像形成装置に関する。
【背景技術】
【０００２】
一般に画像読取装置は、光源から原稿に主走査方向に光を照射し原稿からの反射光を撮像部にて電気信号に変換することにより、原稿の画像を読み取る。光源はキャリッジに取り付けられており、キャリッジが副走査方向に移動するにともなって、光源が副走査方向に移動することによって、原稿全面の画像を読み取る。
【０００３】
従来の画像読取装置では、例えば冬季の朝などに冷え切った部屋に暖房を入れて室温が急上昇すると、画像読取装置の内部温度と室温との温度差によって画像読取装置の内部に結露が生じることがある。例えば、原稿台（プラテンガラス）、撮像素子または撮像素子に原稿の反射光を導くミラー等に結露が発生すると、原稿が正常に読み取れない。
【０００４】
そこで可視光ＬＥＤよりも加熱性の高い赤外光光源（赤外ＬＥＤ）を点灯させることで、結露を除去する画像読取装置が検討されている（例えば特許文献１）。特許文献１の画像読取装置では、原稿の画像データを読み取るとともに、キャリッジによる移動ではなく、移動部（ソレノイドおよびレール）によって導光体の入射面に赤外光光源が位置するように、可視光光源と赤外光光源の位置を変更し、画像読取装置の構成部品に赤外光を照射し加熱することによって結露を除去している。
【先行技術文献】
【特許文献】
【０００５】
【特許文献１】特開２０１１−２９８０６号公報
【発明の概要】
【発明が解決しようとする課題】
【０００６】
しかしながら、特許文献１の画像読取装置では、可視光光源と赤外光光源との位置を変更するための移動部がキャリッジとは別に必要となり、コスト増加の要因となっていた。
【０００７】
本発明は上記課題を鑑みてなされたものであり、その目的はコストの増加を抑制することができる発光装置、画像読取装置および画像形成装置を提供することにある。
【課題を解決するための手段】
【０００８】
本発明に係る発光装置は、原稿に照射された光で画像を読み取る画像読取装置に用いられる発光装置である。前記発光装置は、複数の可視光光源と、赤外光光源とを備える。前記複数の可視光光源のそれぞれは可視光を照射する。前記赤外光光源は、赤外光を照射する。前記複数の可視光光源は、前記複数の可視光光源のそれぞれが前記可視光を照射する場合に、前記複数の可視光光源のそれぞれから照射された前記可視光の少なくとも一部が重なった可視光照射範囲を形成するように配置されている。前記複数の可視光光源および前記赤外光光源は、前記複数の可視光光源のそれぞれが前記可視光を照射し、前記赤外光光源が前記赤外光を照射する場合に、前記赤外光光源から照射された前記赤外光の少なくとも一部が前記可視光照射範囲と重なるように配置されている。
【０００９】
本発明に係る画像読取装置は、上記に記載の発光装置と、画像読取部と、制御部とを備える。前記画像読取部は、前記原稿からの反射光を読み取る。前記制御部は、前記可視光光源と前記赤外光光源との点灯および消灯を制御する。
【００１０】
本発明に係る画像形成装置は、上記に記載の画像読取装置と、印刷部とを備える。前記印刷部は、前記画像読取装置で前記原稿から読み取ったデータに基づいて印刷を行う。
【発明の効果】
【００１１】
本発明に係る光源装置は、結露除去をする際に、可視光光源または赤外光光源を移動させる必要が無いため、可視光光源と赤外光光源とを移動させるための部材が不要である。その結果、コストの増加を抑制することができる。
【図面の簡単な説明】
【００１２】
【図１】（ａ）は、本発明の実施形態に係る発光装置を示す模式的な上面図である。（ｂ）は、本発明の実施形態に係る発光装置を示す模式的な側面図である。
【図２】（ａ）は、本発明の実施形態に係る発光装置によって照射された可視光照射範囲を示す模式図である。（ｂ）は、可視光光源と赤外光光源とが照射する範囲を示す模式図である。
【図３】本発明の実施形態に係る画像読取装置を示す模式図である。
【図４】本発明の実施形態に係る画像形成装置を示す模式図である。
【発明を実施するための形態】
【００１３】
以下、図面を参照して本発明による発光装置、画像読取装置および画像形成装置の実施形態を説明する。ただし、本発明は以下の実施形態に限定されない。
【００１４】
図１を参照して本発明に係る発光装置１０の実施形態を説明する。図１（ａ）は、本発明の実施形態に係る発光装置１０を示す模式的な上面図である。図１（ｂ）は、本発明の実施形態に係る発光装置１０を示す模式的な側面図である。
【００１５】
発光装置１０は、原稿に照射された光で画像を読み取る画像読取装置に用いられる。発光装置１０は、複数の可視光光源１と複数の赤外光光源２とを備える。可視光光源１と赤外光光源２とは、基板７に搭載されている。
【００１６】
可視光光源１は、Ｚ方向に可視光ＬＡを照射する。可視光光源１は、例えば、可視光ＬＥＤである。可視光光源１から照射される可視光ＬＡの指向性は比較的高いが、可視光ＬＡはある程度の範囲にわたる強度分布を示す。複数の可視光光源１は、複数の可視光光源１のそれぞれが可視光ＬＡを照射する場合に、複数の可視光光源１のそれぞれから照射された可視光ＬＡの少なくとも一部が重なった可視光照射範囲Ｑ（図２に示す）を形成するように配置されている。可視光照射範囲Ｑは、例えば、画像読取装置の原稿台に形成される。例えば、可視光照射範囲Ｑは、可視光光源１から１ｃｍ以上１５ｃｍ以下の離れた位置に形成される。可視光照射範囲Ｑは、図２を参照して後述する。
【００１７】
赤外光光源２は、Ｚ方向に赤外光ＬＢを照射する。赤外光光源２は、例えば、赤外ＬＥＤである。赤外光光源２から照射される赤外光ＬＢの指向性は比較的高いが、赤外光ＬＢはある程度の範囲にわたる強度分布を示す。赤外光光源２から照射される赤外光ＬＢは、可視光光源１から照射される可視光ＬＡよりも高加熱効果を有している。赤外光光源２から赤外光ＬＢの照射された箇所の周辺は加熱され、結露を除去することができる。なお、赤外光光源２から照射される赤外光ＬＢは、人の目には見えない。
【００１８】
発光装置１０において、複数の可視光光源１および赤外光光源２は、複数の可視光光源１のそれぞれが可視光ＬＡを照射し、赤外光光源２が赤外光ＬＢを照射した場合に、複数の赤外光光源２から照射された赤外光ＬＢの少なくとも一部が可視光照射範囲Ｑ（図２に示す）と重なるように配置されている。
【００１９】
可視光光源用電源３と赤外光光源用電源５とは、それぞれ異なる配線で可視光光源１と赤外光光源２とに接続される。また、可視光光源駆動回路および赤外光光源駆動回路は、それぞれ異なる配線の可視光光源駆動信号４および赤外光光源駆動信号６を介して可視光光源１と赤外光光源２とに接続されている。可視光光源１は、次段の可視光光源１と直列に接続されている。また、赤外光光源２は、次段の赤外光光源２と直列に接続されている。可視光光源１および赤外光光源２の電源と駆動信号は、それぞれ異なる配線で接続されているため、可視光光源１および赤外光光源２はそれぞれ別々に点灯可能である。例えば、可視光光源１のみを点灯させたり、赤外光光源２のみを点灯させたりすることができる。あるいは、可視光光源１と赤外光光源２とを同時に点灯させることもできる。
【００２０】
可視光光源１と赤外光光源２とは、原稿の読み取り方向である副走査方向Ｙに直交する主走査方向Ｘに沿って交互に並んでおり、ここでは、可視光光源１と赤外光光源２とは、主走査方向Ｘに沿って１つおきに交互に並んでいる。また、可視光光源１と赤外光光源２とは、一直線に並んでいる。
【００２１】
図２を参照して可視光光源１と赤外光光源２とによって照射される範囲について説明する。図２（ａ）は、可視光照射範囲Ｑを示す模式図である。図２（ｂ）は、可視光光源１と赤外光光源２とが照射する範囲を示す模式図である。
【００２２】
図２（ａ）に示す様に、可視光光源１と赤外光光源２とのうち可視光光源１のみを点灯させた場合、可視光光源１から照射した可視光ＬＡは、別の可視光光源１から照射した可視光ＬＡと重なり部分ＬＯで重なっており、複数の可視光光源１から照射された可視光ＬＡは連続的な範囲にわたる可視光照射範囲Ｑを形成する。本明細書において、複数の可視光光源１が照射する範囲を可視光照射範囲Ｑと記載することがある。ここでは可視光照射範囲Ｑは、複数の可視光光源１に含まれる１つの可視光光源１から照射された可視光ＬＡの一部が複数の可視光光源１に含まれる別の可視光光源１から照射された可視光ＬＡの一部と互いに重なって形成される。
【００２３】
続いて、可視光光源１と赤外光光源２とによって照射される範囲について説明する。図２（ｂ）に示す様に、可視光光源１と赤外光光源２とを点灯させた場合、赤外光ＬＢは可視光照射範囲Ｑと少なくとも一部が重なるように照射される。
【００２４】
以上、図１および図２を参照して説明したように、発光装置１０において、複数の可視光光源１および赤外光光源２は、複数の可視光光源１のそれぞれが可視光ＬＡを照射し、赤外光光源２が赤外光ＬＢを照射した場合に、赤外光光源２から照射された赤外光ＬＢの少なくとも一部が可視光照射範囲Ｑと重なるように配置されている。したがって、可視光照射範囲Ｑの結露を除去する際に、可視光光源１または赤外光光源２を移動させる必要が無いため、可視光光源１と赤外光光源２とを移動させるための部材が不要であり、コストの増加を抑制することができる。
【００２５】
また、発光装置１０を備える画像読取装置が、ＡＤＦ（Ａｕｔｏ Ｄｏｃｕｍｅｎｔ Ｆｅｅｄｅｒ：自動原稿送り装置）を備える場合、ＡＤＦの読取部に対してキャリッジを移動させた後、可視光光源１または赤外光光源２を移動させる必要が無いため、結露を除去した状態で原稿の読取を短期間に行うことができる。
【００２６】
なお、赤外光光源２から照射される赤外光ＬＢが可視光照射範囲Ｑと重なる範囲が広いほど可視光照射範囲Ｑの加熱効果を向上できるため好ましい。高い加熱効果を得られるために赤外光光源２から照射される赤外光ＬＢが可視光照射範囲Ｑの全範囲を照射することが、より好ましい。
【００２７】
また、発光装置１０において、可視光光源１と赤外光光源２とのうち赤外光光源２のみを点灯可能である。赤外光光源２から照射された赤外光ＬＢによる加熱によって、結露を除去できる。
【００２８】
また、発光装置１０において、可視光光源１と赤外光光源２とは、同時に点灯可能である。この場合、赤外光光源２から照射された赤外光ＬＢによる加熱に加えて、可視光光源１から照射された可視光によっても可視光照射範囲Ｑは加熱される。その結果、赤外光光源２のみを点灯した場合に比べて、より短い時間で可視光照射範囲Ｑの結露を除去できる。
【００２９】
また、発光装置１０において、可視光光源１と赤外光光源２とは、原稿の読み取り方向である副走査方向Ｙに直交する主走査方向Ｘに沿って交互に並ぶ。その結果、可視光光源１が照射する可視光の範囲に対して、赤外光光源２が照射する赤外光ＬＢが等間隔で照射されるため、均等に結露を除去することができる。
【００３０】
また、発光装置１０において、可視光光源１と赤外光光源２とは、一直線に並ぶ。その結果、可視光光源１が照射する可視光ＬＡの照射する位置と赤外光光源２が照射する赤外光ＬＢの照射する位置とが近くなり、効果的に結露を除去することができる。
【００３１】
また、赤外光光源２から照射される赤外光は、人の目には見えない。したがって、可視光光源１と赤外光光源２とのうち赤外光光源２の点灯のみで結露除去動作を行う場合、原稿の読取動作でないときに発光装置１０に備えられた赤外光光源２が発光していても、赤外光ＬＢはユーザーの目には見えないため、ユーザーに装置の故障と誤認識されることを低減することができる。
【００３２】
図３を参照して本発明による画像読取装置５０の実施形態を説明する。図３は、本発明の実施形態に係る画像読取装置５０を示す模式図である。
【００３３】
画像読取装置５０は、発光装置１０と画像読取部２０と制御部３０とを備える。画像読取装置５０は、内部温度センサ４１と外部温度センサ４２とをさらに備える。また、典型的に画像読取装置５０は、原稿台１１をさらに備える。発光装置１０と画像読取部２０と制御部３０とは筐体２８内に配置されている。画像読取装置５０は、原稿台１１の上に載置された原稿Ｍを読み取って入力画像を得る。画像読取装置５０は、例えば、スキャナである。原稿Ｍは、例えば、紙であるが紙に限定されない。例えば、布や厚みのある立体物でもあり得る。
【００３４】
画像読取部２０は、発光装置１０と光学系２６と撮像部２７とを備える。画像読取部２０は、原稿台１１の下方に設けられている。光学系２６は、導光体２１とリフレクタ２２と複数の反射ミラー（反射ミラー２４ａ、反射ミラー２４ｂおよび反射ミラー２４ｃ）とレンズ２５とを有している。発光装置１０と導光体２１とリフレクタ２２と反射ミラー２４ａとは、第１キャリッジ２３ａに取り付けられている。反射ミラー２４ｂと反射ミラー２４ｃとは、第２キャリッジ２３ｂに取り付けられている。
【００３５】
導光体２１は、可視光光源１および赤外光光源２に導光体２１の入射面２１ａが対向するように、第１キャリッジ２３ａに固定されている。導光体２１は透明樹脂（例えばＰＭＭＡ；ポリメタクリル酸メチル樹脂）またはガラス等の光透過性を有する材料で形成された四角柱状の透明体である。導光体２１は、入射面２１ａから入射した光が放射面２１ｂから放射され、原稿Ｍが配置される位置に導かれるように第１キャリッジ２３ａへの取り付け位置および角度が設定されている。また、リフレクタ２２は、導光体２１の側面２１ｃで内部反射して放射面２１ｂから放射された光を原稿Ｍが配置される位置に導くように第１キャリッジ２３ａへの取り付け位置及び角度が設定されている。
【００３６】
発光装置１０から照射した光は、光学系２６を経て撮像部２７に到達する。以下、発光装置１０から照射した光が撮像部２７に到達する過程を説明する。主走査方向に延びた発光装置１０は、原稿台１１を下方から照射する。なお、ここでは主走査方向は図２の奥行方向（図示せず）であり、副走査方向はＹ方向である。発光装置１０から照射された光は、導光体２１およびリフレクタ２２に導かれ可視光照射範囲Ｑに到達する。可視光照射範囲Ｑに到達した光は原稿Ｍで反射して、反射ミラー２４ａに到達する。反射ミラー２４ａに到達した光は反射ミラー２４ａで反射し、反射ミラー２４ｂおよび反射ミラー２４ｃによって導かれ、レンズ２５を通り撮像部２７に到達する。
【００３７】
画像読取部２０が原稿Ｍを読み取る場合は、第１キャリッジ２３ａは、発光している発光装置１０と共に副走査方向Ｙに移動する。第２キャリッジ２３ｂは、発光装置１０から撮像部２７までの光路長が一定になるように移動する。
【００３８】
撮像部２７は、例えば、ＣＣＤ（Ｃｈａｒａｇｅ  Ｃｏｕｐｌｅｄ  Ｄｅｖｉｃｅ）である。撮像部２７は、撮像部２７に到達した光からアナログ信号を生成する。その後、Ａ／Ｄ変換部（図示せず）において、アナログ信号は、デジタル信号に変換される。そしてデジタル電気信号は制御部３０へと入力される。
【００３９】
制御部３０は、ＣＰＵ（Ｃｅｎｔｒａｌ Ｐｒｏｃｅｓｓｉｎｇ Ｕｎｉｔ）とＲＯＭ（Ｒｅａｄ Ｏｎｌｙ Ｍｅｍｏｒｙ）とＲＡＭ（Ｒａｎｄｏｍ Ａｃｃｅｓｓ Ｍｅｍｏｒｙ）とＨＤＤ（Ｈａｒｄ Ｄｉｓｋ Ｄｒｉｖｅ）とを備える。制御部３０は、発光装置１０を制御する。制御部３０は、可視光光源１と赤外光光源２との点灯および消灯を制御する。
【００４０】
内部温度センサ４１は、筐体２８の内部の側面に配置される。内部温度センサ４１は、筐体２８内の温度を測定する。
【００４１】
外部温度センサ４２は、筐体２８の外部の側面に配置される。外部温度センサ４２は、筐体２８外部の温度を測定する。
【００４２】
画像読取部２０において結露を除去する場合は、制御部３０は、発光装置１０に備えられた赤外光光源２を点灯させる。赤外光光源２から照射された赤外光ＬＢは導光体２１およびリフレクタ２２に導かれ可視光照射範囲Ｑに到達する。赤外光に照射された可視光照射範囲Ｑの周辺部は加熱される。また、赤外光光源２から発した光の反射光が反射ミラー２４ａ、反射ミラー２４ｂ、反射ミラー２４ｃおよびレンズ２５を介して撮像部２７に導かれ、これらの部材を加熱する。その結果、反射ミラー２４ａ、反射ミラー２４ｂ、反射ミラー２４ｃ、レンズ２５、撮像部２７およびその近傍の結露を除去することができる。
【００４３】
また、発光装置１０は第１キャリッジ２３ａに設けられているため、第１キャリッジ２３ａの副走査方向Ｙへの移動とともに発光装置１０は副走査方向Ｙへ移動する。その結果、原稿台１１全面について結露を除去することができる。その際、第１キャリッジ２３の副走査方向Ｙへの移動に伴い、可視光照射範囲Ｑは副走査方向Ｙへ移動する。
【００４４】
なお、結露の除去の際は、可視光光源１と赤外光光源２とのうち赤外光光源２のみを点灯してもよいし、赤外光光源２と可視光光源１とを同時に点灯させてもよい。赤外光光源２と可視光光源１とを同時に点灯させると、可視光光源１と赤外光光源２とのうち赤外光光源２のみを点灯させるよりも短時間で結露を除去することができる。
【００４５】
なお、上述の結露除去の動作は、内部温度センサ４１が測定した測定結果に基づき行われてもよい。画像読取装置５０の電源を入れた際に、内部温度センサ４１が筐体２８内の温度を測定する。制御部３０は、内部温度センサ４１が測定した筐体２８内の温度に基づき、可視光光源１と赤外光光源２との点灯および消灯を制御する。例えば、内部温度センサ４１が測定した筐体２８内の温度が５℃以下の場合に、制御部３０は、可視光光源１と赤外光光源２とのうち赤外光光源２のみ、又は可視光光源１および赤外光光源２を点灯させる。その結果、筐体２８内の温度が結露の除去を必要とする温度である場合にのみ結露を除去する。
【００４６】
また、結露の除去の動作は、外部温度センサ４２が測定した筐体２８外部の温度と内部温度センサ４１が測定した筐体２８内の温度との差分に基づき行われてもよい。画像読取装置５０の電源を入れた際に、内部温度センサ４１が筐体２８内の温度を測定する。また、外部温度センサ４２が筐体２８内の温度を測定する。制御部３０は筐体２８外部の温度と筐体２８内の温度との差分を算出し、差分に基づいて可視光光源１と赤外光光源２との点灯および消灯を制御する。例えば、内部温度センサ４１が測定した筐体２８内の温度と外部温度センサ４２が測定した筐体２８外の温度との差分が１０℃以上の場合に、制御部３０は、可視光光源１と赤外光光源２とのうち赤外光光源２のみ、又は可視光光源１および赤外光光源２を点灯させる。このようにして、結露の除去が必要となる筐体２８外の温度と筐体２８内の温度との差分である場合にのみ結露を除去できる。
【００４７】
以上、図３を参照して説明したように、画像読取装置５０は、発光装置１０と、原稿Ｍからの反射光を読み取る画像読取部２０と、制御部３０とを備える。制御部３０は、可視光光源１と赤外光光源２との点灯および消灯を制御する。したがって、制御部３０は、原稿読取の際は、可視光光源１と赤外光光源２とのうち可視光光源１のみを点灯させ、結露除去動作の際は、可視光光源１と赤外光光源２とのうち赤外光光源２のみ、又は可視光光源１と赤外光光源２とを点灯させる。したがって、画像読取装置５０は、動作に応じて可視光光源１と赤外光光源２との点灯を制御できるため、消費電力を低減することができる。
【００４８】
また、上述したように画像読取装置５０は、内部温度センサ４１をさらに備える。制御部３０は、内部温度センサ４１の測定結果に基づき、可視光光源１と赤外光光源２との点灯および消灯を制御する。したがって、筐体２８内で結露が発生するおそれのある際に、自動的に結露の除去の動作を行うことができる。
【００４９】
また、上述したように画像読取装置５０は、外部温度センサ４２をさらに備える。制御部３０は、外部温度センサ４２の測定結果と内部温度センサ４１の測定結果との差分を算出し、差分に基づいて可視光光源１と赤外光光源２との点灯および消灯を制御する。したがって、筐体２８内で結露が発生するおそれのある際に、自動的に結露の除去の動作を行うことができる。
【００５０】
図４は、本発明の実施形態に係る画像形成装置１００を示す模式図である。画像形成装置１００は、複写機、プリンタ、ファクシミリ又はこれらの機能を兼ね備えた複合機であり得る。以下、複写機を用いて説明するが、本発明はこれに限定されない。画像形成装置１００は、画像読取装置５０と印刷部６０とを備える。印刷部６０は、定着装置１１０、給紙カセット１２０、画像形成部１３０、トナー補給装置１４０、用紙排出部１５０および用紙搬送部１６０を有している。印刷部６０は、画像読取装置５０で原稿から読み取ったデータに基づいて印刷を行う。
【００５１】
給紙カセット１２０には、印刷用の用紙Ｐが収容されている。複写を行う際、給紙カセット１２０内の用紙Ｐは、画像形成部１３０と定着装置１１０とを経由して用紙排出部１５０から排出されるように、用紙搬送部１６０によって搬送される。
【００５２】
画像形成部１３０では、トナー像を用紙Ｐに形成する。画像形成部１３０には、感光体１３１と現像装置１３２と転写装置１３３とが含まれている。
【００５３】
感光体１３１には、例えば、画像読取装置５０で生成された原稿画像の電子信号に基づいたレーザーによって静電潜像が形成される。現像装置１３２は現像ローラー１２１を有している。現像ローラー１２１は、感光体１３１にトナーを供給して静電潜像を現像させることで、感光体１３１にトナー像を形成する。トナーは、トナー補給装置１４０から現像装置１３２へ補給される。
【００５４】
転写装置１３３は、感光体１３１に形成されたトナー像を用紙Ｐに転写する。
【００５５】
定着装置１１０では、定着部材１１１と加圧部材１１２によって用紙Ｐを加熱及び加圧することで、画像形成部１３０において形成された未定着のトナー像を溶融させて用紙Ｐに定着させる。
【００５６】
なお、図１を参照して説明した発光装置１０において、可視光光源１と赤外光光源２とは一直線に並んでいたが、可視光光源１と赤外光光源２の並び方は一直線に限定されない。例えば、可視光光源１は赤外光光源２に対して、副走査方向Ｙにずれていてもよい。
【００５７】
また、図２を参照して説明した画像読取装置５０は、導光体２１を備えたが、発光装置１０が導光体２１を備えない構成を取り得る。
【産業上の利用可能性】
【００５８】
本発明に係る発光装置は結露除去が必要な画像読取装置に好適に用いられる。
【符号の説明】
【００５９】
ＬＡ        可視光
ＬＢ        赤外光
ＬＯ        重なり部分
Ｍ          原稿
Ｐ          用紙
Ｑ          可視光照射範囲
Ｘ          主走査方向
Ｙ          副走査方向
１          可視光光源
２          赤外光光源
３          可視光光源用電源
４          可視光光源駆動信号
５          赤外光光源用電源
６          赤外光光源駆動信号
７          基板
１０        発光装置
１１        原稿台
２０        画像読取部
２１        導光体
２１ａ      入射面
２１ｂ      放射面
２１ｃ      側面
２２        リフレクタ
２３ａ      第１キャリッジ
２３ｂ      第２キャリッジ
２４ａ、２４ｂ、２４ｃ  反射ミラー
２５        レンズ
２６        光学系
２７        撮像部
２８        筐体
３０        制御部
４１        内部温度センサ
４２        外部温度センサ
５０        画像読取装置
６０        印刷部
１００      画像形成装置
１１０      定着装置
１１１      定着部材
１１２      加圧部材
１２０      給紙カセット
１３０      画像形成部
１３１      感光体
１３２      現像装置
１３３      転写装置
１４０      トナー補給装置
１５０      用紙排出部
１６０      用紙搬送部
【図１】
2014192806.tif 000003
【図２】
2014192806.tif 000004
【図３】
2014192806.tif 000005
【図４】
2014192806.tif 000006